(57)【要約】【課題】建物を設計するに際し、設計者と顧客が共通の情報に基づいた意思の疎通をはかり、且つ設計者以外の者であっても設計者と同一の説明をし得るようにする。【解決手段】敷地情報シートＣには敷地を中心にした道路，近隣家屋を含む図面と、敷地の形状や高低差及び環境を含む敷地の特徴及び建築する上での検討すべき点が記載されている。シートＣによって顧客は敷地の特徴や周辺の環境を理解する。敷地ゾーニング情報シードＤには、敷地に配置される建物要素及び建物外要素を含み且つこれらを敷地の特徴を生かすと共に検討すべき点を考慮した敷地全体の利用計画がゾーンとして配置されている。シートＤによって顧客は敷地の利用計画を理解する。平面図情報シートＥには配置された各ゾーンに対応する要素が具体的な平面図として記載されている。平面図情報シートＥによって顧客は敷地全体の配置を具体的に理解する。【選択図】　　　図１
2004004958.tif 000002
【特許請求の範囲】
【請求項１】
敷地情報シート，敷地ゾーニング情報シート及び平面図情報シートの組み合わせにより構成され、
　前記敷地情報シートは、敷地図を示した敷地図部，敷地の形状や高低差及び環境を含む敷地の特徴を記載した特徴記載欄及び該敷地の特徴に対応して検討すべき項目を記載した検討項目記載欄を含み、
　前記敷地ゾーニング情報シートは、敷地に対して建物要素と建物外要素をゾーンとして示した要素ゾーン図部と、前記敷地情報シートの検討項目記載欄に記載された敷地の特徴に対応した検討項目に基づいた設計方針を記載した設計方針記載欄を含み、
　前記平面図情報シートは、建物要素の平面図及び建物外要素の平面図を示した平面図部を含む、
　ことを特徴とする建物のプレゼンテーション用シートユニット。
【請求項２】
前記敷地情報シートは更に敷地写真を示した敷地写真部を含む請求項１に記載した建物のプレゼンテーション用シートユニット。
【請求項３】
前記敷地ゾーニング情報シートは更に建物要素と建物外要素からなる基本計画構成要素を記載した基本計画記載欄を含む請求項１に記載した建物のプレゼンテーション用シートユニット。
【請求項４】
敷地ゾーニング情報シートに於ける建物外要素として少なくともカーポート部，建物アプローチ部及び庭部を含む請求項１に記載した建物のプレゼンテーション用シートユニット。
【請求項５】
敷地情報シート、敷地ゾーニング情報シート及び平面情報シートの組み合わせにより構成され、
　前記敷地情報シートには、敷地図を示した敷地図，敷地の形状や高低差及び環境を含む敷地の特徴と、該特徴に対応して検討すべき項目が記載されており、
　前記敷地ゾーニング情報シートには、敷地に対して建物要素と建物外要素をゾーンとして示した要素ゾーン図と、前記敷地情報シートに記載された敷地の特徴に対応して検討すべき点の項目に基づいた設計方針が記載されており、
　前記平面図情報シートには、建物要素の平面図及び建物外要素の平面図を示した平面図が記載されている
　プレゼンテーション用シートユニットを顧客に提示して説明することを特徴とする建物のプレゼンテーション方法。
【請求項６】
前記敷地情報シートにおける敷地の特徴に対する説明文や検討すべき点の説明文は、属性を組み込んだ上で予めデータベース化されており、類似の敷地条件で検索してコンピュータディスプレイ上で抽出した説明文例を直接、該敷地情報シートの敷地図部及び検討項目記載欄上に貼付して表示し得るようにしたことを特徴とする請求項５に記載した建物のプレゼンテーション方法。
【請求項７】
前記敷地ゾーニング情報シートにおける基本計画の設計方針に対する説明文や建物要素及び建物外要素に対する説明文は、属性を組み込んだ上で予めデータベース化されており、類似の敷地条件で検索してコンピュータディスプレイ上で抽出した説明文例を直接、該敷地ゾーニング情報シートの要素ゾーン図部及び設計方針記載欄上に貼付して表示し得るようにしたことを特徴とする請求項５に記載した建物のプレゼンテーション方法。
【請求項８】
前記平面図情報シートにおける平面図部に記載する特記事項の説明文は、属性を組み込んだ上で予めデータベース化されており、類似の敷地条件で検索してコンピュータディスプレイ上で抽出した説明文例を直接、該平面図情報シートの平面図部上に貼付して表示し得るようにしたことを特徴とする請求項５に記載した建物のプレゼンテーション方法。
【請求項９】
建物の内部空間情報が記載された内部空間設計シートを平面図情報シートに追加したことを特徴とする請求項５に記載した建物のプレゼンテーション方法。
【請求項１０】
前記内部空間設計シートに記載された各空間情報は、図面、写真、説明文からなる情報として予めデータベース化されており、各空間の情報を記憶装置から読み出し、コンピュータディスプレイ上で抽出した情報を該内部空間設計シート上に配置したことを特徴とする請求項９に記載した建物のプレゼンテーション方法。
【請求項１１】
建物外要素の空間情報が記載された外部空間設計シートを平面図情報シートに追加したことを特徴とする請求項５に記載した建物のプレゼンテーション方法。
【請求項１２】
前記外部空間設計シートに記載された各空間情報は、図面、写真、説明文からなる情報として予めデータベース化されており、各空間の情報を記憶装置から読み出し、コンピュータディスプレイ上で抽出した情報を該外部空間設計シート上に配置したことを特徴とする請求項１１に記載した建物のプレゼンテーション方法。
【請求項１３】
設備設計シートを平面図情報シートに追加したことを特徴とする請求項５に記載した建物のプレゼンテーション方法。
【請求項１４】
前記設備設計シートにおいて、コンピュータディスプレイで予め記憶された設備情報を読み出し、該設備設計シート上に配置したことを特徴とする請求項１３に記載した建物のプレゼンテーション方法。
【発明の詳細な説明】
【技術分野】
【０００１】
　本発明は、建物、特に住宅を設計する際に敷地及び周辺の住環境の調査分析から基本設計に至る内容を簡潔に顧客に提示し得る建物のプレゼンテーション用シートユニットと、このプレゼンテーション用シートユニットを顧客に提示して建物を検討するプレゼンテーション方法に関するものである。
【背景技術】
【０００２】
　住宅を建築する場合、住宅供給業者（ハウスメーカー）は、建築計画の初期段階で敷地の測量を行い、測量図を顧客に提示する。その後、設計者が顧客の予算，趣向，家族構成をもとに平面図（間取り）を作成し、顧客に提示し、修正や調整を行って基本設計図面を完成させるのが一般である。
【０００３】
　上記の如き設計手法では、先ず、間取りを中心として建物の検討が行われる。そして建物の設計が完了した後で該建物と外部構造との関係についての検討が行われる。
【発明の開示】
【発明が解決しようとする課題】
【０００４】
　上記従来の設計手法では、敷地を測量したときに得た敷地の形状や高低差の情報は設計に生かされるものの、近隣住宅の状態や道路の交通量等の環境面或いは生活面の情報が保存されず、従って、顧客に提示されることがなく、設計に反映されないことが多いという問題がある。
【０００５】
　また設計が間取り中心になってしまい、敷地を全体的に有効活用するための考慮が充分になされていないという問題がある。このため、敷地全体の利用計画が充分に検討されないまま建物の屋内平面設計が進行して後から外部空間の設計を行うこととなり、設計の手戻りや使い勝手の悪い設計に陥るような虞がある。
【０００６】
　建築設計では、品質の確保が設計者個人の経験や技量に担保されるため、経験の少ない設計者は熟練した設計者と比較して本来配慮すべき事項でありながら、抜けたり漏れたりすることがあり、また設計上の問題点に対する検討不足等の発生する虞がある。このため、経験の少ない設計者には熟練した設計者が指導する必要が生じる。
【０００７】
　設計上のノウハウは個人に蓄積されるため、設計者の技量は属人的になり、情報の共有化や展開が困難となって設計組織全体としての作業の効率化をはかることが困難である。
【０００８】
　また顧客に対して提示される敷地の測量図はあくまでも敷地の形状，高低差，道路等の限定された情報のみであり。顧客が必要とする環境面や生活面の情報は記載されていないのが一般である。このため、顧客に対し環境面，生活面からの説明が充分になされることがなく、且つこれらの面の説明は説明者の個人的な技量に左右されるという問題がある。
【０００９】
　特に、敷地全体の利用計画は、この建物で生活する顧客にとって必要な情報であるが、このような情報を提示する図面或いは説明書等のツールがないため、顧客の敷地全体の利用計画についての理解が不充分となり、建築計画の妥当性を判断することが困難である。この場合、建築そのものを、金額や各部位の具体的な仕様のように極めて細分化された範囲の情報で全体の良否を判断するという問題が生じている。
【００１０】
　顧客に対して建築計画（敷地利用計画及び建物自体の計画）の提示（プレゼンテーション）を行う場合、測量図及び平面図を用い、特に平面図を中心に説明することが行われている。このとき、敷地の特徴や全体の利用計画も併せて説明するのが一般的であるが、前記特徴や利用計画を明確に記載した図面或いは書類がないため、説明内容が交錯したり、脱落する等が生じ、顧客は提供される情報の整理がつかずに結局建築計画について明確に理解することが困難となるという問題がある。
【００１１】
　また現地の測量図等の調査報告書が存在するような場合であっても、この報告書と建物を具体的に表す平面図とは全く別の体裁をとっているため、顧客が前記各情報の関連性を正確に理解することが出来ず、従って、敷地の特徴や近隣住宅や道路等との関係が建築計画にどのように生かされているかを把握することが困難である。
【００１２】
　また測量図や平面図を完全に理解し得る顧客は少なく、口頭による補足説明が不可欠である。これらの図面は単なる図面であって、顧客の理解を深めるための情報が記載されているものではないため、設計者と顧客の間に誤解が生じ、設計の手戻りを起こす原因になっている。
【００１３】
　本発明の目的は、敷地の情報や設計する上での検討すべき点、環境面，生活面の情報及び敷地の全体的な利用計画等の情報を合理的に記載することによって、顧客に提示（プレゼンテーション）したとき、顧客の理解を助けると共に設計者との間の誤解を生じさせることなく、更に、建築計画を顧客に説明する際に設計者以外の者が説明しても、説明項目に抜けや漏れがなく、従って、設計手順及び説明手順の標準化を実現し得るようにした建物のプレゼンテーション用シートユニットと、このプレゼンテーション用シートユニットを用いた建物のプレゼンテーション方法を提供することにある。
【課題を解決するための手段】
【００１４】
　上記課題を解決するために本発明に係る建物のプレゼンテーション用シートユニットは、敷地情報シート，敷地ゾーニング情報シート及び平面図情報シートの組み合わせにより構成され、前記敷地情報シートは、敷地図を示した敷地図部，敷地の形状や高低差及び環境を含む敷地の特徴を記載した特徴記載欄及び該敷地の特徴に対応して検討すべき項目を記載した検討項目記載欄を含み、前記敷地ゾーニング情報シートは、敷地に対して建物要素と建物外要素をゾーンとして示した要素ゾーン図部と、前記敷地情報シートの検討項目記載欄に記載された敷地の特徴に対応した検討項目に基づいた設計方針を記載した設計方針記載欄を含み、前記平面図情報シートは、建物要素の平面図及び建物外要素の平面図を示した平面図部を含むことを特徴とするものである。尚、前記敷地ゾーニングとは、建物要素及び建物外要素を敷地内にゾーン（領域）として配して、敷地全体の利用計画を示したものであり、一般的に敷地内のゾーニングと呼ばれているものである。
【００１５】
　上記プレゼンテーション用シートユニット（以下「シートユニット」という）では、敷地情報シートによって、敷地の形状や高低差及び環境を含む敷地の特徴を知ることが出来、且つこの特徴に対応して設計する際の検討すべき項目を知ることが出来る。また敷地ゾーニング情報シートによって敷地に対する建物要素及び建物外要素をゾーンとして配置した敷地全体の利用計画を知ることが出来、且つこの配置が敷地の特徴に対応して検討すべき項目に基づく設計方針を生かした結果であることを知ることが出来る。更に、平面図情報シートに示した建物要素の平面図及び建物外要素の平面図によって、敷地全体に対する各要素の形状及びレイアウトを正確に知ることが出来る。
【００１６】
　即ち、敷地情報シートには、敷地の形状や高低差等の地形及び道路や近隣の自然環境，隣家の状態等の特徴と、これらの特徴を設計に際して如何に配慮すべきか等の検討すべき点の項目が記載されている。従って、敷地情報シートを作成した設計者、又は設計者以外の者であって顧客に対して説明する者（説明者）が、この敷地情報シートを顧客に提示して説明することによって、両者は明確に作成された共通の情報に基づいて敷地の地形や周辺環境の実態を総合的に把握することが出来る。このため、敷地を単に限定された平面的な領域としてとらえるのみならず、この敷地を中心とする住空間の環境を認識することが出来る。
【００１７】
　また敷地ゾーニング情報シートには、敷地に対する建物要素及びカーポートや建物へのアプローチ部或いは庭等によって代表される建物外要素をゾーンとして配置した状態と、敷地情報シートに記載された敷地の特徴に対応して検討すべき点の項目に基づいた設計方針が記載されている。このため、設計者又は説明者がこの敷地ゾーニング情報シートを顧客に提示して説明することによって、顧客は建物要素と建物外要素のゾーンとしての配置を知り且つ該配置が敷地情報シートに記載された検討すべき点の項目に基づく設計方針を根拠として設定されたものであることを知ることが出来る。
【００１８】
　更に、平面図情報シートには、建物要素の平面図及び建物外要素の平面図によって敷地全体に対する各要素の形状及びレイアウトが正確な寸法で記載されている。このため、設計者又は説明者がこの平面情報シートを顧客に提示して説明することによって、顧客は、敷地ゾーニング情報シートに記載された建物要素のゾーン及び建物外要素のゾーンに夫々正確な平面図として配置された建物，カーポート，アプローチ及び庭等を認識することが出来る。
【００１９】
　従って、上記シートユニットを構成する敷地情報シート，敷地ゾーニング情報シート及び平面図情報シートを夫々最適なタイミングで顧客に提示することによって、顧客は敷地や周辺環境の情報及びこれらの情報に対応して検討すべき項目、前記検討項目に基づいた設計方針及びこの設計方針に基づく敷地内のゾーニング、更に、前記ゾーニングを実現した敷地に対する建物要素及び建物外要素の正確な形状及びレイアウトからなる建物の基本設計を一連のプロセスとして容易に理解することが出来る。結果として顧客は各シートで示される設計段階毎に自分の建築計画に対する要望を設計者にタイミング良く伝えることが出来る。
【００２０】
　このため、常に設計者と顧客は直接或いは説明者を仲介して両者が同じ情報を共有することが可能となり、上記各シートを順次提示する都度、顧客の意向が設計に反映し易く、且つ一度完成した図面等に手戻りが発生する虞が少ない。従って、建物の設計を容易に行うことが出来る。
【００２１】
　上記シートユニットに於いて、敷地情報シートは更に敷地写真を示した敷地写真部を含むことが好ましい。このように、敷地情報シートに敷地写真を示した場合には、顧客が敷地の特徴や近隣住宅の構成等の環境を容易に把握することが出来る。
【００２２】
　上記シートユニットに於いて、敷地ゾーニング情報シートは更に建物要素と建物外要素からなる基本計画構成要素を記載した基本計画記載欄を含むことが好ましく、更に、敷地ゾーニング情報シートに於ける建物外要素として少なくともカーポート部，建物アプローチ部及び庭部を含むことが好ましい。
【００２３】
　また本発明に係る建物のプレゼンテーション方法は、敷地情報シート、敷地ゾーニング情報シート及び平面情報シートの組み合わせにより構成され、前記敷地情報シートには、敷地図を示した敷地図，敷地の形状や高低差及び環境を含む敷地の特徴と、該特徴に対応して検討すべき項目が記載されており、前記敷地ゾーニング情報シートには、敷地に対して建物要素と建物外要素をゾーンとして示した要素ゾーン図と、前記敷地情報シートに記載された敷地の特徴に対応して検討すべき点の項目に基づいた設計方針が記載されており、前記平面図情報シートには、建物要素の平面図及び建物外要素の平面図を示した平面図が記載されている　プレゼンテーション用シートユニットを顧客に提示して説明することを特徴とするものである。
【００２４】
　上記建物のプレゼンテーション方法に於いて、敷地情報シートにおける敷地の特徴に対する説明文や検討すべき点の説明文，敷地ゾーニング情報シートにおける基本計画の設計方針に対する説明文や建物要素及び建物外要素に対する説明文，平面図情報シートにおける平面図部に記載する特記事項の説明文、等の説明文は、属性を組み込んだ上で予めデータベース化されており、類似の条件で検索してコンピュータディスプレイ上で抽出した説明文例を直接、各情報シートの対応する図部及び、又は対応する記載欄上に貼付して表示し得るようにすることが好ましい。
【００２５】
　また上記建物のプレゼンテーション方法に於いて、建物の内部空間情報が記載された内部空間設計シートを平面図情報シートに追加することが好ましく、該内部空間設計シートに記載された各空間情報は、図面、写真、説明文からなる情報として予めデータベース化されており、各空間の情報を記憶装置から読み出し、コンピュータディスプレイ上で抽出した情報を該内部空間設計シート上に配置することがより好ましい。
【００２６】
　また建物外要素の空間情報が記載された外部空間設計シートを平面図情報シートに追加することが好ましく、該外部空間設計シートに記載された各空間情報は、図面、写真、説明文からなる情報として予めデータベース化されており、各空間の情報を記憶装置から読み出し、コンピュータディスプレイ上で抽出した情報を該外部空間設計シート上に配置することが好ましい。
【００２７】
　また設備設計シートを平面図情報シートに追加することが好ましく、前記設備設計シートにおいて、コンピュータディスプレイで予め記憶された設備情報を読み出し、該設備設計シート上に配置することが好ましい。
【発明の効果】
【００２８】
　本発明に係るシートユニットでは、敷地情報シートによって敷地の形状や高低差及び道路や隣家の状態等の環境を含む敷地の特徴と、該情報シートに記載された検討すべき点の内容によって、設計者は設計の与条件を整理すると共に特定することが出来る。また顧客は敷地情報シートに記載された敷地の特徴及び検討すべき点の内容によって周辺環境を理解することが出来、且つ建物を建築する際に検討すべき諸点を理解することが出来る。
【００２９】
　特に、敷地の環境面及び生活面に関する記載が説明文として表現されているため、敷地情報シートを作成した設計者以外の者が顧客に対して説明する場合であっても、敷地の状況についてもれなく説明することが出来る。また顧客は口頭による説明がなくとも、敷地情報シートの内容を誤解なく理解することが出来る。
【００３０】
　また敷地ゾーニング情報シートによって、検討すべき点を全て検討した結果としての設計方針に基づく敷地全体の利用計画を設定することで、設計者は与条件を整理して設計意図を明確にすることが出来る。また顧客は敷地情報シートに記載された特徴や検討すべき点が敷地に如何に実現されているかを理解することが出来、且つ敷地全体の利用計画を理解すると共に建築計画の妥当性について理解し判断することが出来る。
【００３１】
　特に、建物要素及び建物外要素に対し基本計画及び設計方針が説明文で記載されるため、設計者以外の者であっても顧客に対し設計者がするのと同一の説明を行うことが出来る。また顧客は口頭による説明がなくとも、敷地ゾーニング情報シートの内容を誤解なく理解することが出来る。
【００３２】
　また平面図情報シートによって、顧客は建物要素及び建物外要素の具体的な平面配置を理解することが出来る。このとき、内部空間の計画シート，外部空間の計画シート及び設備計画シートを同時に顧客に提示して説明することで、顧客は建物外要素、例えばカーポートの形状や寸法と共に該カーポートに駐車する自動車，自転車の配置状況や乗降し得る状態を理解することが出来る。また建物に設置される諸設備の具体的な配置位置や仕様，性能等を理解することが出来る。特に、顧客は平面図情報シートに実現された各要素の配置が、既に説明を受けて理解している敷地情報シートの内容及び敷地ゾーニング情報シートの内容に基づくものであることを容易に理解することが出来る。
【００３３】
　上記の如く、敷地の状態での特徴及び検討すべき点、この敷地を如何に利用するかのゾーニング計画、更に、ゾーニング計画を実現した敷地全体の平面図、夫々の段階毎に適切な情報量を持って顧客に提示して説明することによって、顧客は個々の情報シート毎に前段階で受けた説明内容が実現しつつあることを視覚的に容易に理解することが出来る。
【００３４】
　特に、各情報シートには必要な部分に説明文が記載されているため、顧客は明確に理解することが出来、且つ各段階毎に不明な点の追加説明を受けたり、要求することが出来るため、顧客が敷地の利用計画等に誤解を持った状態で次の段階に進行する虞がない。従って、顧客と設計者の間に円滑な意思の疎通が行われ、設計の手戻りが生じることがなく、設計作業を円滑に進行させて合理化することが出来る。
【００３５】
　また敷地情報シート，敷地ゾーニング情報シート，平面図情報シートの内容は設計プロセスそのものに従ったものであり、夫々の段階に於ける作業内容を明確にしている。このため、経験の少ない設計者であっても、各情報シートの内容に従って各情報シートを作成することで、熟練した設計者と同様にもれなく配慮された建築計画を作成することが出来る。
【００３６】
　また各情報シートに記載される設計情報が明確に規定されているため、担当設計者以外の者であっても、設計内容を容易に把握することが出来る。このため、設計組織内での設計ノウハウの共有化をはかることが出来、設計の標準化及び合理化をはかることが出来る。
【００３７】
　また本発明に係る建物のプレゼンテーション方法では、顧客に対し、設計の初期の段階から設計が進行するのに伴って順次、敷地情報シート，敷地ゾーニング情報シート，平面図情報シートを提示して説明することで、敷地の形状や高低差及び周辺の環境を理解すると共に建物を建築する際に検討すべき諸点を理解してもらい、検討結果としての設計方針に基づく敷地全体の利用計画を設定することで設計意図を明確にすることが出来、建物要素及び建物外要素の具体的な平面配置を理解してもらうことが出来る。
【００３８】
　特に、平面図情報シートによって、既に顧客に説明した敷地情報シート，敷地ゾーニング情報シートの内容が具体的な平面計画として実現されていることを説明することが出来、特定部位の設計意図、更に建物，敷地の規模を詳細に説明することが出来る。従って、設計者が建物要素及び建物外要素の平面図を描くことで、基本計画に於ける設計意図をより具体的に表現することが可能であり、且つ建物や敷地の具体的な規模について確認し、与条件に対する妥当性や法的制限に対する合法性を容易にチェックすることが出来る。
【００３９】
　また敷地の特徴に対する説明文や検討すべき点の説明文、基本計画の設計方針に対する説明文や建物要素及び建物外要素に対する説明文、平面図部に記載する特記事項の説明文等の説明文を属性を組み込んだ上でデータベース化しておき、類似の条件で検索することによって参考となる説明文例を抽出して所定の記載欄に貼付して表示することによって各情報シートの作成作業の標準化及び合理化をはかることが出来る。
【００４０】
　また内部空間設計シート，外部空間設計シートに記載された各空間を図面，写真，説明文からなる情報としてデータベース化しておき、前記各設計シートを作成するに際し、設計者は顧客毎に説明を要する各空間の情報を記憶装置から読み出すことによって対象となる各空間の情報を抽出して各設計シート上に配置することで、顧客の建築計画をより適切に説明し得る各設計シートを作成することが出来る。
【００４１】
　また設備設計シートを作成する際にコンピュータディスプレイで予め記憶された設備情報を読み出して配置する作業を行うことで、容易に個別の顧客毎の設備設計シートを作成することが出来る。
【００４２】
　更に、内部空間設計シート，外部空間設計シート及び設備設計シートを平面図情報シートと共に顧客に提示して説明することで、顧客は平面図情報シートに記載された建物要素の平面図に記載された設備の具体的な内容や、建物要素及び建物外要素の寸法、使い勝手の情報を得ることが出来、敷地全体に対する建物要素及び建物外要素の配置及び各要素を構成する空間の機能及び建物に必要な設備の具体的な機能を理解することが出来る。
【００４３】
　従って、設計者が顧客に対し上記各シートを順に提示しつつ説明することによって、顧客は設計者と共通の情報により敷地，建物要素，建物外要素，設備が夫々如何なる考え方に基づいて設計されたかを容易に理解し得ることとなり、誤解が生じることがなく、且つある程度設計が進行した後、再度前段階に戻って設計のし直しを行う所謂手戻りするようなことがない。
【発明を実施するための最良の形態】
【００４４】
　以下、上記シートユニットの一実施例を図により説明し、合わせてプレゼンテーション方法について説明する。図１は本実施例に係るシートユニットの構成を説明する図、図２は設計の流れを解説する解説シートを説明する図、図３は敷地情報シートを説明する図、図４は敷地ゾーニング情報シートを説明する図、図５は平面図情報シートを説明する図、図６は内部空間計画シートを説明する図、図７は外部空間計画シートを説明する図、図８は設備計画シートを説明する図である。
【００４５】
　図１に示すシートユニットは、建物を設計すると共に該建物に付随したカーポートや建物へのアプローチ及び庭等の建物外要素を設計する過程で、経時的に必要な図面を作成していき、設計者又は営業マン等の説明者が顧客に提示して説明するためのものである。そして、このシートユニットを利用することによって、敷地全体の有効利用，設計方針に対する顧客の理解を深めることが可能であり、且つ情報の共有化をはかることで、属人的になり勝ちな建築設計の進め方を標準化することが可能である。
【００４６】
　本実施例に於いて、シートユニットは表紙Ａ，解説シートＢ，敷地情報シートＣ，敷地ゾーニング情報シートＤ，平面図情報シートＥ，内部空間計画シートＦ，外部空間計画シートＧ，設備計画シートＨによって構成されている。
【００４７】
　上記シートユニットは建物毎に１セット用意されており、敷地調査の段階で敷地情報シートＣが作成され、この敷地情報シートＣを顧客に提示して敷地の特徴や検討すべき項目の説明を行った後、説明時の内容に基づいて敷地ゾーニング情報シートＤが作成され、この敷地ゾーニング情報シートＤを顧客に提示して敷地の特徴を生かした設計方針やこの設計方針に基づく敷地に対する建物要素及び建物外要素からなるゾーニングを説明し、顧客の理解を得た上で平面図情報シートＥが作成され、この平面図情報シートＥを顧客に提示して建物の間取りや建物外要素となるカーポート，アプローチ，庭等の設置位置や形状を説明し、後続する各シートＦ〜Ｈを参照しつつ顧客と協議して了解点に達することで、建物のみならず、敷地全体の基本設計が完成する。
【００４８】
　尚、上記各シートＣ〜Ｅの顧客への提示のしかたは、上記説明のように各シートＣ〜Ｅを作成した都度顧客に提示しても良いが、設計者側で予め顧客のニーズと敷地情報をもとにシートＣ，Ｄをまとめて作成して顧客に提示した後、顧客の要望を取り入れてシートＥを作成，提示しても良く、各シートＣ〜Ｅの作成及び提示のタイミングは限定されるものではない。
【００４９】
　上記の如く、設計の進行段階毎に顧客にシートユニットを提示して説明することによって、顧客は設計者と共に敷地の特徴を生かした全体的な利用方針の設定，敷地ゾーニング及び建物の平面形状の決定の各段階毎に自分の要望を設計者に伝えることが可能となる。特に、各シートＣ〜Ｅには図面以外の検討すべき点の項目や設計方針等が記載されているため、顧客は設計内容を容易に理解することが可能となって誤解の生じる虞がない。従って、設計の進行が円滑となり、且つ手戻りがない。
【００５０】
　次に、各シートＡ〜Ｈについて説明する。表紙Ａは、図１に示すようにシートユニットの表紙であり、顧客の氏名或いは建物の名称と後続する各シートＢ〜Ｈの表題を示す目次が記載されている。
【００５１】
　次に、図２により解説シートＢについて説明する。この解説シートＢは顧客に対しメーカーの基本的な住まいづくりの考え方を提示するものであり、後続する各シートＣ〜Ｈの内容を簡単に説明すると共に設計の進行段階と各シートＣ〜Ｈの関係をフローチャートとして表現した欄Ｂ１〜Ｂ５と、住宅の設計のあり方を記載した欄Ｂ６と、メーカーとしての設計方針を記載した欄Ｂ７と、設計のポイントを記載した欄Ｂ８とを有している。
【００５２】
　解説シートＢはメーカーの姿勢や住宅設計に対する基本的な考え方が記載されており、顧客の如何に関わらず共通して提示し得るものである。また解説シートＢに於いて敷地情報シートＣに対応する欄Ｂ１の敷地の調査と分析、敷地ゾーニング情報シートＤに対応する欄Ｂ２の基本計画、平面図情報シートＥに対応する欄Ｂ３の基本設計が経時的に実施され、夫々のタイミングで顧客に提示されることが記載されている。更に、内部空間計画シートＦ，外部空間計画シートＧに対応する欄Ｂ４及び設備計画シートＨに対応する欄Ｂ５は、前記欄Ｂ１〜Ｂ３のフローとは切り離されて欄Ｂ３の基本設計の段階で合流することが記載されている。
【００５３】
　従って、設計者又は直接顧客に応対して説明する説明者が解説シートＢを顧客に提示して欄Ｂ１〜Ｂ８の内容を説明することで、説明を受けた顧客は建物の設計のみならず敷地の全体的な設計の手順や流れ、及びメーカーの住宅に対する基本的な姿勢を理解することが可能であり、この理解に基づいて互いに誤解のない良好な信頼を築くことが可能である。
【００５４】
　次に、図３により敷地情報シートＣについて説明する。本実施例に於いて、敷地情報シートＣは表題が「敷地の調査と分析」として記載されており、実測に基づく敷地図部Ｃ１と、敷地の特徴を記載した特徴記載欄Ｃ２と、敷地の特徴に対応して検討すべき点の項目を記載した検討項目記載欄Ｃ３と、敷地の写真を添付した敷地写真部Ｃ４及び敷地調査の解説部Ｃ５を有している。
【００５５】
　敷地情報シートＣの右肩には「１」の番号が記されており、設計を進める上で第１番目に提示される情報シートであることが理解し得るように構成されている。また解説部Ｃ５では敷地調査や周辺環境調査の重要性が解説されており、設計者又は設計者以外の説明者がこの敷地情報シートＣを顧客に提示して前記各調査の重要性を説明することで、顧客の理解を得ることが可能なように構成されている。
【００５６】
　敷地図部Ｃ１は所謂測量図とは異なり、建設地である敷地の高低差や地形、及び道路に加えて近隣の住宅配置、隣家との接近具合や隣家の開口部の位置等の周辺環境を把握するのに必要な図面が記載されている。また敷地図部Ｃ１にはメーカーが推奨する複数項の敷地を読むポイントが記載されている。この敷地を読むポイントとは、敷地の調査分析の際に特に重要な事項及び要素のことである。本実施例では、敷地を読むポイントとして、敷地と隣地（Ｃ１ａ），高低差（Ｃ１ｂ），道路（Ｃ１ｃ），環境（Ｃ１ｄ），生活（Ｃ１ｅ），既存の設備（Ｃ１ｆ）の各項目が記載されており、夫々の項目毎に注意すべきポイントが記載されている。
【００５７】
　特徴記載欄Ｃ２は敷地の特徴や環境上の特徴を客観的に記載する欄であり、上記敷地を読むポイントに従って敷地や周囲の環境を観察したときの特徴が記載されている。前記特徴としては、例えば敷地の形状や高低差，自然環境，道路の交通量や街灯の有無等がある。
【００５８】
　検討項目記載欄Ｃ３には特徴記載欄Ｃ２に記載された特徴に対応して検討すべき項目が記載されている。この検討項目記載欄Ｃ３には、敷地を有効に利用し且つ合理的で住み易い住宅を設計する上で検討すべき事項（例えば、日照に対する配慮や隣家からの遮蔽或いは既存の植栽等の活用等）が記載されている。検討項目記載欄Ｃ３に記載された検討項目は、個々に敷地の如何なる部位に対応して検討すべきかが明らかに表示されることが好ましい。
【００５９】
　このため、検討項目記載欄Ｃ３に記載された内容は項目毎に細分化されて敷地図部Ｃ１にも記載される。本実施例に於いて、検討項目記載欄Ｃ３には４つの検討すべき項目Ｃ３ａ〜Ｃ３ｄが記載されており、これらの項目Ｃ３ａ〜Ｃ３ｄは夫々敷地図部Ｃ１に於ける対応する部位からの引出線を用いて該敷地図部Ｃ１に項目毎に細分化されて記載されている。従って、顧客は検討項目の内容と共に敷地の如何なる部分について検討すれば良いかを一目で理解することが可能である。また説明者は具体的な内容と具体的な部位を併せて示すことで、顧客への確実な情報提供が可能になっている。
【００６０】
　敷地写真部Ｃ４は、敷地の現況の理解を高めるために、撮影した写真を添付する部分である。敷地を含む周囲の写真を撮影して添付することによって、顧客はより視覚的に敷地周辺の環境を理解することが可能である。
【００６１】
　敷地情報シートＣには、敷地の特徴が客観的に記載されると共に、この特徴を分析することによって得られた設計に際し検討すべき点が記載されているため、設計者は敷地情報シートＣを作成しつつ設計の与条件を整理し、且つ特定することが可能となる。また説明者は敷地情報シートＣを顧客に提示し、各欄Ｃ１〜Ｃ４の記載に基づいて説明することで、客観的な敷地の特徴と、設計上配慮すべき事項を区別して説明することで、敷地の状況について判りやすく説明することが可能となる。従って、説明を受けた顧客は、敷地の持つ特徴，設計を進める上での検討すべき項目とこの検討項目が敷地の如何なる部分を対象としているのかの点を認識すると共に、これらの特徴や検討項目が敷地を読むポイントに着目してなされた結果であることを容易に理解することが可能である。
【００６２】
　特に、予め敷地を読むポイントＣ１ａ〜Ｃ１ｆが記載されているため、顧客は設計者が如何なる視点で敷地を調査し分析しているかを容易に理解することが可能であり、同様に説明者は敷地を如何なる視点で調査し分析したかを判りやすく説明することが可能である。更に、設計者は敷地調査を実施する際のチェックリストとして活用することが可能であり、敷地を調査する際に抜けや漏れが生じることがない。
【００６３】
　尚、敷地の特徴に対する説明文や検討すべき点の説明文は属性を組み込んだ上でデータベース化されており、上記敷地情報シートＣを作成するに際し、設計者が類似の敷地条件で検索することによって参考となる説明文例を抽出することが可能である。そして設計者がコンピュータディスプレイ上で抽出した説明文例を直接敷地図部Ｃ１及び検討項目記載欄Ｃ３上に貼付して表示し得るようにすることで、設計及び敷地情報シートＣの作成作業の標準化及び合理化をはかることが可能である。またコンピュータディスプレイで作業する場合、デジタルカメラで撮影した情報を直接敷地写真部Ｃ４に貼付して表示することで、作成時間の短縮化をはかることが可能である。
【００６４】
　次に、図４により敷地ゾーニング情報シートＤについて説明する。本実施例に於いて、敷地ゾーニング情報シートＤは表題が「基本計画」として表示されており、建物要素及び建物外要素をゾーンとして配置した図を記載した要素ゾーン図部Ｄ１と、敷地情報シートＣに記載された検討項目に基づいた設計方針を記載した設計方針記載欄Ｄ２と、基本計画に対する基本的な考え方及び建物要素と敷地内に配置する建物外要素からなる基本計画構成要素を記載した基本計画記載欄Ｄ３とを有している。
【００６５】
　また右肩には「２」の番号が記載され、この敷地ゾーニング情報シートＤが敷地情報シートＣに引き続く第２番目に検討する情報シートであることを明らかにしている。
【００６６】
　要素ゾーン図部Ｄ１は、敷地情報シートＣに記載された敷地の特徴，検討すべき項目を考慮して、建物要素、カーポート，建物へのアプローチ，庭及び設備スペース等からなる建物外要素を夫々個別にゾーンとして単純に表現して配置したものである。従って、顧客は要素ゾーン図部Ｄ１に記載された図面では建物要素及び建物外要素の詳細な寸法関係は把握し得ないものの、各要素の位置関係は把握できるため、敷地全体の利用計画を理解することが可能である。
【００６７】
　設計方針記載欄Ｄ２には、建物を設計する際の基本的な方針及び敷地利用に対する基本的な方針が記載されている。この設計方針は前述した敷地情報シートＣに於ける検討項目に対応しており、個々の検討項目毎の検討結果に対応した設計方針が記載されている。尚、要素ゾーン図部Ｄ１でのゾーニングは、設計方針記載欄Ｄ２の内容に基づいてなされている。
【００６８】
　基本計画記載欄Ｄ３は基本計画に対する一般的な解説であり、基本計画の基本的な考え方を記述した説明部分Ｄ３−１及び建物を中心として敷地内に配置される諸要素の基本的な機能や基本的な仕様が記載されている基本計画構成要素記載欄Ｄ３−２で構成されている。本実施例に於いて、基本計画構成要素記載欄Ｄ３−２には、建物Ｄ３−２ａの建物要素の項目と、カーポートＤ３−２ｂ，アプローチＤ３−２ｃ，庭Ｄ３−２ｄ，設備スペースＤ３−２ｅ等からなる建物外要素の項目が記載されており、建物Ｄ３−２ａ以外の各項目Ｄ３−２ｂ〜Ｄ３−２ｅには、夫々対応した建物外要素の範囲や詳細な具体例等が記載されている。
【００６９】
　要素ゾーン図部Ｄ１にゾーンとして配置された建物要素及び建物外要素から夫々引出線が引き出されており、これらの引出線に対応させて基本計画構成要素記載欄Ｄ３−２に記載された建物要素の項目Ｄ３−２ａ及び建物外要素の各項目Ｄ３−２ｂ〜Ｄ３−２ｅに対応させた説明分Ｄ１ａ〜Ｄ１ｅが記載されている。
【００７０】
　要素ゾーン図部Ｄ１に記載された各項目Ｄ１ａ〜Ｄ１ｅの内容と基本計画構成要素記載欄Ｄ３−２に記載された各項目Ｄ３−２ａ〜Ｄ３−２ｅの内容は一致したものではなく、基本計画構成要素記載欄Ｄ３−２には建物外要素の範囲や各要素の詳細な具体例が記載され、要素ゾーン図部Ｄ１には基本計画構成要素記載欄Ｄ３−２に記載された各要素を如何にして実際の敷地に適用したかという点や設計上の留意点が記載されている。
【００７１】
　従って、既に敷地情報シートＣによって敷地及び周辺環境を理解した顧客に対し、上記の如く構成された敷地ゾーニング情報シートＤを提示して敷地に対する諸要素の形状及び配置を説明することによって、顧客はシートＣの敷地の特徴や検討すべき項目と対比しつつ設計方針記載欄Ｄ２に記載された基本計画の設計方針を明確に理解することが可能である。また建物要素，建物外要素の敷地に対する配置が要素ゾーン図部Ｄ１に単純化されて表現されているため、顧客は容易に敷地全体の利用計画を理解することが可能である。更に、各構成要素に対する項目Ｄ１ａ〜Ｄ１ｅが要素ゾーン図部Ｄ１に記載されているため、個々の構成要素に対する設計意図を明確に理解することが可能である。
【００７２】
　また説明者は顧客に明確な設計方針と簡略化された敷地ゾーニングを用いて敷地全体の利用計画を顧客に簡潔に且つ明瞭に説明することが可能であり、更に、個々の構成要素についての設計意図を詳細に説明することが可能である。更に、設計者は、設計方針記載欄Ｄ２を作成することで、与条件を整理して設計意図を明確にすることが可能である。且つ要素ゾーン図部Ｄ１に基本計画図を描くことで敷地全体の利用計画について整理，確認することが可能である。
【００７３】
　尚、基本計画の設計方針に対する説明文や建物要素及び建物外要素に対する説明文Ｄ１ａ〜Ｄ１ｅは属性を組み込んだ上でデータベース化されており、上記敷地ゾーニング情報シートＤを作成するに際し、設計者が類似の敷地条件で検索することによって参考となる説明文例を抽出することが可能である。そして設計者がコンピュータディスプレイ上で抽出した説明文例を直接要素ゾーン図部Ｄ１及び設計方針記載欄Ｄ２上に貼付して表示し得るようにすることで、敷地ゾーニング情報シートＤの作成作業の標準化及び合理化をはかることが可能である。またコンピュータディスプレイ上の作業では、設計者は車庫やアプローチ等の建物外要素の形状等を記憶装置に登録し、画面の要素ゾーン図部Ｄ１に呼び出して建物と併せて配置することで、設計及びシート作成作業の合理化が可能になっている。
【００７４】
　次に、図５により平面図情報シートＥについて説明する。本実施例に於いて、平面図情報シートＥは表題が「基本設計」として表示されており、建物要素及び建物外要素の平面図を示した平面図部Ｅ１を有している。
【００７５】
　また右肩には「３」の番号が記載され、この平面図情報シートＥが敷地ゾーニング情報シートＤに引き続く第３番目に検討する情報シートであることを明らかにしている。
【００７６】
　平面図部Ｅ１には、建物本体及びポーチ，テラス等の半屋外空間からなる建物要素の平面図が各階毎に記載されると共に、建物外要素となるカーポートやアプローチ，庭及び各種メーターや冷暖房機器等の設備機器が夫々同一の縮尺を持って正確な平面図として記載されている。平面図部Ｅ１に記載された建物要素及び建物外要素は前述した敷地ゾーニング情報シートＤで配置された各ゾーンに夫々対応している。
【００７７】
　平面図部Ｅ１に記載された建物は間取りや設備を含んだ平面図として記載されており、またカーポートには自動車や自転車が記載され、庭には樹木等がシンボル化して記載されている。更に、アプローチは敷地の高低差があるような場合には、階段部分も含んだ状態で記載されている。
【００７８】
　平面図部Ｅ１に記載された建物要素及び建物外要素の平面図に対し、特に注意を喚起したい部位から引出線が形成され、この引出線に設計者が留意した内容や補足し或いは顧客に訴えたい説明文を記載した特記事項記載欄Ｅ１ａ〜Ｅ１ｇが記載されている。
【００７９】
　また平面図部Ｅ１の欄外には解説シートＢの欄Ｂ８に記載したのと同一内容の７項目の設計のポイントを記載した欄Ｅ２を有している。前記欄Ｅ２と連続して面積記入欄Ｅ３が設けられており、該欄Ｅ３に敷地や建物の面積が記入されている。本実施例に於いて、７項目の設計のポイントは、「必要な空間の確保」、「快適な環境」、「安全・快適な生活」、「使いやすさ」、「たたずまいの美しさ」、「近所づきあい」、「適切な総合コスト」が掲げられている。
【００８０】
　上記平面図情報シートＥによって、顧客は既に敷地情報シートＣ及び敷地ゾーニング情報シートＤにより説明を受けた敷地の特徴，検討すべき点及び敷地の利用計画，設計方針等に基づいて、平面図情報シートＥに記載された建物要素と建物外要素の具体的な配置と平面構成が実現されていることを容易に理解することが可能である。また特記事項欄Ｅ１ａ〜Ｅ１ｇの記載内容に基づいて、顧客は設計者が特に訴えたい部位の設計意図を明確に理解することが可能である。更に、面積の記載に基づいて、建物や敷地の具体的な規模を把握することが可能である。
【００８１】
　また説明者は、既に顧客に対して説明した敷地情報シートＣ，敷地ゾーニング情報シートＤの内容が具体的な平面計画として実現されていることを説明することが可能であり、特定部位の設計意図、更に建物，敷地の規模を詳細に説明することが可能である。設計者は建物要素及び建物外要素の平面図を描くことで、基本計画に於ける設計意図をより具体的に表現することが可能であり、且つ建物や敷地の具体的な規模について確認し、与条件に対する妥当性や法的制限に対する合法性を容易にチェックすることが可能である。
【００８２】
　また説明者は顧客に敷地・顧客の固有の制約条件に加えて一般的に考慮しなければいけない設計のポイントを説明することで充分に配慮された建築計画であることを訴求することが可能である。顧客は建築計画が敷地・顧客の固有の制約条件に加えて一般的に考慮しなければいけない設計のポイントにも配慮されていることが理解し得る。更に、設計者は具体的な基本設計を考える際に敷地条件から来る制約の他に一般的に考慮しなければいけないポイントとして参照することで、チェックリストとして活用することが可能である。
【００８３】
　尚、平面図部に記載する特記事項の説明文は属性を組み込んだ上でデータベース化されており、上記平面図情報シートＥを作成するに際し、設計者が類似の敷地条件で検索することによって参考となる説明文例を抽出することが可能である。そして設計者がコンピュータディスプレイ上で抽出した説明文例を直接平面図部Ｅ１上に貼付して表示し得るようにすることで、平面図情報シートＥの作成作業の標準化及び合理化をはかることが可能である。
【００８４】
　図６は内部空間設計を補足するためのシートである。この内部空間設計シートＦは表題が「case.1（内部空間) 」として表現され、右肩には「４−１」の番号が記載されている。また内部空間設計シートＦには、代表的な内部空間となるキッチンスペースＦ１，洗面所・ユーティリティスペースＦ２やパブリック空間Ｆ３の構成例が記載されており、更に、内部空間を構成する他の部位である物干しスペースＦ４や収納スペースＦ５の例が記載されている。
【００８５】
　上記各スペースＦ１〜Ｆ５には、夫々対応する空間を表現した複数の図面，写真及び説明文による解説が記載されており、特に、パブリック空間Ｆ３は、家族のくつろぎ軸及び接客軸からなる二次元座標系によって性格付けを行うことで、顧客の要求に最適なパブリック空間Ｆ３を構成し得るようにしている。
【００８６】
　また図７は外部空間設計を補足するためのシートである。この外部空間設計シートＧは表題が「case.1（外部空間）」として表現され、右肩には「４−２」の番号が記載されている。また外部空間設計シートＧは図面，写真及び解説を用いて建物外要素の代表的な例であるカーポート廻りＧ１や門廻りＧ２或いは境界廻りＧ３の構成例が記載されている。
【００８７】
　例えばカーポート廻りＧ１としては、カーポートに於ける自動車への乗降を考慮した寸法を持ったＡタイプＧ１ａ，ＢタイプＧ１ｂ，ＣタイプＧ１ｃが夫々自動車及び該自動車のドアの開放状態を含む図面を持って記載されている。また自動車と共に複数台の自転車を駐車した状態の図面Ｇ１ｄ，Ｇ１ｅが記載され、更に、夫々のタイプの特徴が説明文を持って解説されている。
【００８８】
　尚、上記内部空間設計シートＦ，外部空間設計シートＧに記載された各空間は図面，写真，説明文からなる情報としてデータベース化されており、前記各設計シートＦ，Ｇを作成するに際し、設計者は顧客毎に説明を要する各空間の情報を記憶装置から読み出すことによって対象となる各空間の情報を抽出することが可能である。そして設計者がコンピュータディスプレイ上で抽出した情報を直接各設計シートＦ，Ｇ上に配置することで、顧客の建築計画をより適切に説明し得る各設計シートＦ，Ｇを作成することが可能である。
【００８９】
　図８は設備設計を行うためのシートである。この設備設計シートＨは表題が「設備計画」と表現され、右肩には「５」の番号が記載されている。また設備計画シートＨは、建物に於ける代表的な設備である暖冷房設備Ｈ１や給湯設備Ｈ２或いは各種メーター設備Ｈ３について写真及び説明文からなる解説が記載されている。例えば給湯設備Ｈ２では、ガス給湯器Ｈ２ａ，石油給湯器Ｈ２ｂ，深夜電力温水器Ｈ２ｃ，太陽熱温水器Ｈ２ｄが夫々写真及び説明文と共に記載されている。
【００９０】
　尚、上記設備設計シートＨを作成する場合、設計者はコンピュータディスプレイで予め記憶された設備情報を読み出して配置する作業を行うことで、個別の顧客毎の設備設計シートＨを作成することが可能である。
【００９１】
　上記の如く作成された内部空間設計シートＦ，外部空間設計シートＧ及び設備設計シートＨを前述した平面図情報シートＥと共に顧客に提示して説明することで、顧客は平面図情報シートＥに記載された建物要素の平面図に記載された設備の具体的な内容や、建物要素及び建物外要素の寸法、使い勝手の情報を得ることが可能となり、敷地全体に対する建物要素及び建物外要素の配置及び各要素を構成する空間の機能及び建物に必要な設備の具体的な機能を理解することが可能である。
【００９２】
　従って、設計者が顧客に対し上記各シートＢ〜Ｈを順に提示しつつ説明することによって、顧客は設計者と共通の情報により敷地，建物要素，建物外要素，設備が夫々如何なる考え方に基づいて設計されたかを容易に理解し得ることとなり、誤解が生じることがなく、且つある程度設計が進行した後、再度前段階に戻って設計のし直しを行う所謂手戻りするようなことがない。
【００９３】
　尚、シートユニットを構成する各シートＡ〜Ｈは必ずしも設計者によって個別に作成されたものである必要はなく、コンピュータからアウトプットされたハードコピーであるシートによって構成されたシートユニットを含むことは当然である。
【図面の簡単な説明】
【００９４】
【図１】本実施例に係るシートユニットの構成を説明する図である。
【図２】設計の流れを解説する解説シートを説明する図である。
【図３】敷地情報シートを説明する図である。
【図４】敷地ゾーニング情報シートを説明する図である。
【図５】平面図情報シートを説明する図である。
【図６】内部空間設計シートを説明する図である。
【図７】外部空間設計シートを説明する図である。
【図８】設備設計シートを説明する図である。
【符号の説明】
【００９５】
　Ａ　　　　　　　　　　　表紙
　Ｂ　　　　　　　　　　　解説シート
　Ｂ１〜Ｂ５　　　　　　　各シートＣ〜Ｈの関係をフローチャートとして表現した欄
　Ｂ６　　　　　　　　　　住宅の設計のあり方を記載した欄
　Ｂ７　　　　　　　　　　メーカーとしての設計方針を記載した欄
　Ｂ８　　　　　　　　　　設計のポイントを記載した欄
　Ｃ　　　　　　　　　　　敷地情報シート
　Ｃ１　　　　　　　　　　敷地図部
　Ｃ１ａ〜Ｃ１ｅ　　　　　敷地を読むポイントが記載された欄
　Ｃ２　　　　　　　　　　特徴記載欄
　Ｃ３　　　　　　　　　　検討項目記載欄
　Ｃ３ａ〜Ｃ３ｄ　　　　　検討すべき項目
　Ｃ４　　　　　　　　　　敷地写真部
　Ｄ　　　　　　　　　　　敷地ゾーニング情報シート
　Ｄ１　　　　　　　　　　要素ゾーン図部
　Ｄ１ａ〜Ｄ１ｅ　　　　　説明文
　Ｄ２　　　　　　　　　　設計方針記載欄
　Ｄ３　　　　　　　　　　基本計画記載欄
　Ｄ３−１　　　　　　　　説明部分
　Ｄ３−２　　　　　　　　基本計画構成要素記載欄
　Ｄ３−２ａ〜Ｄ３−２ｅ　建物要素及び建物外要素の項目
　Ｅ　　　　　　　　　　　平面図情報シート
　Ｅ１　　　　　　　　　　平面図部
　Ｅ１ａ〜Ｅ１ｇ　　　　　特記事項記載欄
　Ｅ２　　　　　　　　　　設計のポイントを記載した欄
　Ｅ３　　　　　　　　　　面積記入欄
　Ｆ　　　　　　　　　　　内部空間計画シート
　Ｆ１　　　　　　　　　　キッチンスペース
　Ｆ２　　　　　　　　　　洗面所・ユーティリティスペース
　Ｆ３　　　　　　　　　　パブリック空間
　Ｇ　　　　　　　　　　　外部空間計画シート
　Ｇ１　　　　　　　　　　カーポート廻り
　Ｇ２　　　　　　　　　　門廻り
　Ｇ３　　　　　　　　　　境界廻り
　Ｈ　　　　　　　　　　　設備計画シート
　Ｈ１　　　　　　　　　　暖冷房設備
　Ｈ２　　　　　　　　　　給湯設備
　Ｈ３　　　　　　　　　　各種メーター設備
【図１】
2004004958.tif 000003
【図２】
2004004958.tif 000004
【図３】
2004004958.tif 000005
【図４】
2004004958.tif 000006
【図５】
2004004958.tif 000007
【図６】
2004004958.tif 000008
【図７】
2004004958.tif 000009
【図８】
2004004958.tif 000010